(57)【要約】【課題】  蓋体の上蓋を操作することによって、容器本体内の収納物を取出す開口を簡単に開蓋できるとともに、蓋体に収納した捨て紙等も簡単に取出すことができるようにした容器を提供すること。【解決手段】  容器本体と蓋本体と、蓋本体に係合する上蓋とからなる容器であって、蓋本体は、内方に凹部を形成した頂壁と、側周壁と、上壁と、内周が容器本体と係合する外周壁とを備え、頂壁の凹部には、開口部と、収納室と、蓋係止段部と係合段部とが形成されており、上蓋は、ヒンジを介して折りたたみ自在として、係合段部に係合されていることを特徴とする。【選択図】  図１
2009083891.tif 000002
【特許請求の範囲】
【請求項１】
容器本体と蓋本体と、蓋本体に係合する上蓋とからなる容器であって、
蓋本体は、内方に凹部を形成した頂壁と、側周壁と、上壁と、内周が容器本体と係合する外周壁とを備え、
頂壁の凹部には、開口部と、収納室と、蓋係止段部と係合段部とが形成されており、
上蓋は、ヒンジを介して折りたたみ自在として、係合段部に係合されていることを特徴とする食品用容器。
【請求項２】
蓋本体の頂壁の係合段部外側と、上蓋の係合板部外側がヒンジを介して連設され、蓋本体と上壁が一体成形されていることを特徴とする請求項１記載の食品用容器。
【請求項３】
上蓋は、係合段部と係合する係合板部と、収納室と係合する押し板部と、開口部と係合する蓋板部と、蓋係止段部と係合する蓋係止部とを具え、
係合板部と押し板部、および、押し板部と蓋板部との間には、下面を切欠いて折曲げ可能に形成されたヒンジが設けられていることを特徴とする請求項１記載の食品用容器。
【発明の詳細な説明】
【技術分野】
【０００１】
本発明は、ガム等の食品などを収納するとともに、捨て紙等の収納部を有する食品用容器に関するものである。
【背景技術】
【０００２】
ガム、その他の食品などの収納物を収納するとともに、捨て紙等を収納した容器において、衛生上の問題により、収納物と捨て紙等とを別々に収納するため、容器本体内に収納物を収納し、容器本体を閉蓋する蓋体に捨て紙等の収納室を設けた食品用容器は、従来より知られている（例えば、特許文献１参照）。
【特許文献１】特開２００５−３０６４５２
【発明の開示】
【発明が解決しようとする課題】
【０００３】
しかしながら、上記特許文献１記載の従来技術では、容器本体内の収納物を取出す場合に、捨て紙収納室を設けた蓋体を外して開蓋し、捨て紙等を使用するときには、さらに、蓋体の上蓋を開いて取出さなければならず、使い勝手がよくないという問題があった。
また、蓋体の蝶番機構、上蓋の蝶番機構と二つの蝶番機構を設けなければならず、生産コストが高くつくという問題があった。
【０００４】
本発明は、上記問題を解決することを課題とし、蓋体の上蓋を操作することによって、容器本体内の収納物を取出す開口を簡単に開蓋できるとともに、蓋体に収納した捨て紙等も簡単に取出すことができるようにした容器を提供することを目的とする。
【課題を解決するための手段】
【０００５】
本発明は、上記の課題を解決するため、食品用容器として、容器本体と蓋本体と、蓋本体に係合する上蓋とからなる容器であって、蓋本体は、内方に凹部を形成した頂壁と、側周壁と、上壁と、内周が容器本体と係合する外周壁とを備え、頂壁の凹部には、開口部と、収納室と、蓋係止段部と係合段部とが形成されており、上蓋は、ヒンジを介して折りたたみ自在として、係合段部に係合されていることを特徴とする構成を採用する。
【０００６】
蓋本体の実施例として、蓋本体の頂壁の係合段部外側と、上蓋の係合板部外側がヒンジを介して連設され、蓋本体と上壁が一体成形されていることを特徴とする構成を採用する。
【０００７】
上蓋の実施例として、上蓋は、係合段部と係合する係合板部と、収納室と係合する押し板部と、開口部と係合する蓋板部と、蓋係止段部と係合する蓋係止部とを具え、係合板部と押し板部、および、押し板部と蓋板部との間には、下面を切欠いて折曲げ可能に形成されたヒンジが設けられていることを特徴とする構成を採用する。
【発明の効果】
【０００８】
容器本体と蓋本体と、蓋本体に係合する上蓋とからなる容器において、蓋本体は、内方に凹部を形成した頂壁を備え、凹部は、開口部と、複数の捨て紙等を収納する収納室とを形成し、上蓋は、閉蓋時に、蓋本体の凹部を密封するとともに、押し板部と蓋板部とヒンジを備えたことによって、容器本体内の収容物を使用する際には、上蓋の押し板部上面を押下げると、蓋板部を蓋本体の開口部に対して開口させ、開口より内容物を取出すことができ、捨て紙等を使用する際には、上蓋の蓋板部を指などで把持し、上方に持ち上げると、蓋板部とともに押し板部も持ち上がり、蓋本体の収納室が開口されるので、捨て紙等を容易に取出して使用することができる。
【発明を実施するための最良の形態】
【０００９】
次に、本発明容器の実施形態について、図面を参照して説明する。
図１において、Ａは容器本体、Ｂは蓋本体、Ｃは蓋本体ＢにヒンジＤを介して一体成形された上蓋、Ｅは蓋本体Ｂ内に収納される捨て紙である。
【００１０】
容器本体Ａは、上端にフランジ１を設けた胴部２と底部３とからなっており、収納物として、ガム、あめ、その他の食品が収納される。
【００１１】
蓋本体Ｂは、図１、２に示すように、中央部に凹部５を形成した頂壁６と、頂壁６周縁に垂設された側周壁７と、側周壁７下端外周に連設され、下面が容器本体Ａのフランジ１上面と係合する上壁８と、上壁８周縁に垂設され、内周がフランジ１側面と係合する外周壁９とからなっている。
外周壁９内周には、上部がフランジ１下面外端部と係合する係合突部１０が配設されている。
【００１２】
凹部５は、中央に開口１１を穿設した開口部１２と、開口部１２より下方まで凹設され、内方に捨て紙Ｅを収納する収納凹部１３、すなわち捨て紙収納室とを形成しており、開口部１２の収納凹部１３側端には、突部１４が配設されている。
【００１３】
頂壁６の開口部１２の側端部には、上蓋Ｃの先端部が係合する蓋係止段部１５が形成され、収納凹部１３側の側端部には、外側にヒンジＤを連設する係合段部１６が形成されている。
【００１４】
上蓋Ｃは、ヒンジＤを介して連設され、蓋本体Ｂの係合段部１６に接合する係合板部２０と、収納凹部１３の上面を押圧する押し板部２１と、開口部１２に接合するとともに、下面が突部１４先端部と係合する蓋板部２２と、蓋係止段部１５と係合する蓋係止部２３とを具えている。
【００１５】
係合板部２０と押し板部２１、および、押し板部２１と蓋板部２２との間には、下面を切欠いて折曲げ可能に形成されたヒンジ２４とヒンジ２５が設けられ、上蓋Ｃは、閉蓋時には、上面が蓋本体Ｂの頂壁６上面と面一であり、蓋本体Ｂの凹部５を密封するように板状に形成されている。
【００１６】
次に、本容器の使用態様と作用効果について説明する。
本容器は、上蓋Ｃの上面と蓋本体Ｂの頂壁６上面を面一にして、上蓋Ｃの蓋係止部２３と蓋本体Ｂの蓋係止段部１５を係合させ、上蓋Ｃを閉蓋した蓋本体Ｂを容器本体Ａに装着する。
【００１７】
容器本体Ａ内には、内容物として、ガム、あめ玉、その他の食品が収納される。
ガム等を食した後で捨てる場合には、捨て紙収納凹部１３には捨て紙Ｅが収納されるが、あめ玉等を食する場合には、手指を清拭するウェットティッシュ等を収納して使用することもできる。
【００１８】
容器本体Ａ内の収容物を使用する際には、上蓋Ｃの押し板部２１上面を指などで押下げる。
押し板部２１の押下げに応じて、図３（ａ）に示すように、上蓋Ｃは、ヒンジ２４を支点に押し板部２１の中央側が下方に傾斜するとともに、ヒンジ２５を変形させ、蓋板部２２を下方に引張る。
【００１９】
蓋板部２２のヒンジ２５側が下方に引張られると、蓋板部２２下面に当接した蓋本体Ｂの突部１４先端が梃子の支点となり、蓋板部２２の蓋係止部２３側が持ち上がり、蓋係止部２３と蓋本体Ｂの蓋係止段部１５との係合が外れる。
【００２０】
さらに、押し板部２１を押下げると、蓋本体Ｂの突部１４の梃子の作用により、蓋本体Ｂの開口部１２との係合が外れ、押し板部２１の傾斜角度に比べ、蓋板部２２の傾斜角度を大きく持ち上げられ、開蓋状態になる。
開蓋状態の蓋本体Ｂの開口１１から容器本体Ａ内の収容物を取出すことができる。
【００２１】
閉蓋する際には、上蓋Ｃの蓋板部２２上面の蓋係止部２３側を指などで押下げると、蓋本体Ｂの突部１４が梃子の作用により、ヒンジ２５を変形させ、押し板部２１を持ち上げ、上蓋Ｃと蓋本体Ｂの凹部５を係合させるとともに、蓋係止部２３と蓋係止段部１５とを係合させ閉蓋状態にできる。
【００２２】
捨て紙Ｅ等を使用する際には、上蓋Ｃの蓋板部２２が持ち上げられた開蓋状態から、蓋板部２２を指などで把持し、上方に持ち上げると、図３（ｂ）に示すように、蓋板部２２とともに押し板部２１のヒンジ２５側も引張られ、ヒンジ２４を介して持ち上がり、押し板部２１と蓋本体Ｂの収納凹部１３との係合が外れ、上蓋Ｃが開放状態になる。
開放状態の蓋本体Ｂの収納凹部１３から捨て紙Ｅ、或いはウェットティッシュ等を取出して使用することができる。
【００２３】
閉蓋する際には、上蓋Ｃの蓋板部２２を指などで把持し、ヒンジ２４を介して押下げると、上蓋Ｃと蓋本体Ｂの凹部５を係合させるとともに、蓋係止部２３と蓋係止段部１５とを係合させ閉蓋状態にできる。
【００２４】
上記実施形態では、蓋本体Ｂと上蓋ＣをヒンジＤを介して一体成形したが、蓋本体Ｂと上蓋Ｃとを別体で成形し、蓋本体Ｂの係合段部１６と上蓋Ｃの係合板部２０を接着、または嵌着させることによって、上蓋Ｃを蓋本体Ｂに装着するようにしてもよく、上記実施例同様に、上蓋Ｃを蓋本体Ｂに対して開閉することができる。
さらに、蓋本体Ｂと上蓋Ｃとを別体で成形し、蝶番機構を配設して開閉するようにしてもよく、蓋本体Ｂと上蓋Ｃとの装着方法は、上記実施形態に限定されない。
【産業上の利用可能性】
【００２５】
本発明の容器は、上蓋の一部を押下げて上蓋を開蓋して収納物を取出すことができ、上蓋を持ち上げることによって捨て紙を取出すことができるようにしたので、収納物と捨て紙を別々に収納するとともに、簡単に、かつ衛生的に両者を使用することができる食品用容器として広く利用することができる。
また、収納物を粉末状の薬品とし、捨て紙をオブラートなどの包んで食用可能なものとすることで、一つの容器で粉末状の薬品を包んで使用することのできる薬品用容器としても、広く利用することができる。
【図面の簡単な説明】
【００２６】
【図１】本発明容器の断面立面図である。
【図２】上蓋閉蓋前の蓋本体の説明図で、（ａ）は上面図、（ｂ）断面立面図である
【図３】容器の説明図で、（ａ）は上蓋開蓋状態、（ｂ）は上蓋開放状態である。
【符号の説明】
【００２７】
Ａ          容器本体
Ｂ          蓋本体
Ｃ          上蓋
Ｄ          ヒンジ
Ｅ          捨て紙
１          フランジ
２          胴部
３          底部
５          凹部
６          頂壁
７          側周壁
８          上壁
９          外周壁
１０        係合突部
１１        開口
１２        開口部
１３        収納凹部
１４        突部
１５        蓋係止段部
１６        係合段部
２０        係合板部
２１        押し板部
２２        蓋板部
２３        蓋係止部
２４、２５  ヒンジ
【図１】
2009083891.tif 000003
【図２】
2009083891.tif 000004
【図３】
2009083891.tif 000005